(57)【要約】【課題】紙幣収納ユニットに収納された紙幣に対する不正を防止することを課題とする。【解決手段】玉貸処理機２０は、管理サーバ２００により解錠を許可する旨（解錠許可信号）を通知され、ＢＶロック機構部５３における「ロック機構制御状況」を「通常状態」から「解錠許可状態」に移行させた後に、「許可時間」（すなわち、「解錠指示」を受け付ける許容時間であり、「個別解錠」では、「１０分」、「島解錠」では、「３０分」、「全台解錠」では、「６０分」とする。）内にリモコン９０による「解錠指示」がなければ、ＢＶロック機構部５３における「解錠許可状態」を無効とし、「通常状態」に移行させることによってＢＶユニット部５０の解錠をおこなわないように制御する。【選択図】        図８
2005087396.tif 000002
【特許請求の範囲】
【請求項１】
ロック機構により施錠された紙幣収納ユニットに紙幣を受け入れて遊技媒体の貸し出し処理をおこなう貸出処理機と、前記紙幣による入金情報を売上金額として取得する管理サーバとを備えた遊技媒体貸出システムであって、
前記管理サーバは、
前記ロック機構により施錠された紙幣収納ユニットの解錠を許可する旨を通知する第一の解錠許可通知手段と、
前記貸出処理機は、
前記第一の解錠許可通知手段によって解錠を許可する旨を通知された後に、遠隔操作装置により解錠を指示する旨を所定の時間内に通知されなければ、前記紙幣収納ユニットの解錠をおこなわないように制御する解錠制御手段と
を備えたことを特徴とする遊技媒体貸出システム。
【請求項２】
ロック機構により施錠された紙幣収納ユニットに紙幣を受け入れて遊技媒体の貸し出し処理をおこなう貸出処理機と、前記紙幣による入金情報を売上情報として取得する管理サーバと、前記貸出処理機に所定の指示を与える遠隔操作装置とを備えた遊技媒体貸出システムであって、
前記遠隔操作装置は、
前記ロック機構により施錠された紙幣収納ユニットの解錠を許可しようとする者が前記紙幣収納ユニットの解錠を許可する権限を持つ管理者であるか否かを認証する解錠許可権限認証手段と、
前記解錠許可権限認証手段によって管理者であると認証された場合に、前記紙幣収納ユニットの解錠を許可する旨を通知する第二の解錠許可通知手段と、
前記貸出処理機は、
前記第二の解錠許可通知手段によって解錠を許可する旨を通知された後に、遠隔操作装置により解錠を指示する旨を所定の時間内に通知されなければ、前記紙幣収納ユニットの解錠をおこなわないように制御する解錠制御手段と
を備えたことを特徴とする遊技媒体貸出システム。
【請求項３】
前記解錠制御手段は、前記紙幣収納ユニットの解錠がおこなわれ、該紙幣収納ユニットの再施錠がおこなわれた後に、前記遠隔操作装置により再解錠を指示する旨を他の所定の時間内に通知されたならば、前記紙幣収納ユニットの再解錠をおこなうように制御することを特徴とする請求項１または２に記載の遊技媒体貸出システム。
【請求項４】
前記解錠制御手段は、前記紙幣収納ユニットの解錠がおこなわれ、該紙幣収納ユニットの再施錠がおこなわれた場合でも、前記第一若しくは第二の解錠許可通知手段によって解錠を許可する旨を通知されてから前記所定の時間内に前記遠隔操作装置により再解錠を指示する旨を通知されたならば、前記紙幣収納ユニットの再解錠をおこなうように制御することを特徴とする請求項１または２に記載の遊技媒体貸出システム。
【発明の詳細な説明】
【技術分野】
【０００１】
本発明は、ロック機構により施錠された紙幣収納ユニットに紙幣を受け入れて遊技媒体の貸し出し処理をおこなう貸出処理機と、紙幣による入金情報を売上金額として取得する管理サーバとを備えた遊技媒体貸出システムに関し、特に、紙幣収納ユニットに収納された紙幣に対する不正を防止することができる遊技媒体貸出システムに関する。
【背景技術】
【０００２】
従来より、パチンコ機やパチスロ機などの遊技機を設置した遊技店で遊技をおこなう場合には、カード発行機などから、一旦プリペイドカードなどの磁気カード（記録媒体）を購入し、このプリペイドカードに関連付けられた有価価値に応じてパチンコ玉やメダルなどの遊技媒体を借り受ける遊技媒体貸出システム（カードシステム）が一般的に採用されている。また、プリペイドカードなどのカード媒体を使用する遊技媒体貸出システムの他、紙幣の投入によって遊技機に対して遊技媒体を貸出す遊技媒体貸出システムも知られている。
【０００３】
ここで、かかるパチンコ機およびパチスロ機などの貸出処理機は、遊技客により投入された紙幣を収納する紙幣収納ユニットを備えており、通常、この紙幣収納ユニットには、鍵を使用したロック機構により施錠がおこなわれるものが採用されている（例えば、特許文献１参照。）。このため、遊技店の閉店時などには、店員による解錠により紙幣収納ユニット内に収納されている紙幣の回収をおこなうものとなる。
【０００４】
【特許文献１】特開平１０−８５４３７号公報
【発明の開示】
【発明が解決しようとする課題】
【０００５】
しかしながら、上記の従来技術は、不正を目的とする人物に貸出処理機の鍵を入手されてしまった場合、その鍵は誰にでも容易に使用することができるため、紙幣収納ユニットに収納された紙幣に対する不正を防止することができないという問題点があった。
【０００６】
さらに、これに関連して、上記の従来技術における鍵による施錠方式の場合には、紙幣の回収時に各貸出処理機の鍵をその都度、解錠する必要があるため、紙幣の回収作業に手間（時間）がかかり作業効率の面で問題があった。特に、この種の貸出処理機は、数十台あるいは数百台から紙幣を回収する必要があり、負担が大きい。
【０００７】
そこで、この発明は、上述した従来技術による問題点を解消するためになされたものであり、紙幣収納ユニットに収納された紙幣に対する不正を防止することができる遊技媒体貸出システムを提供することを目的とする。
【課題を解決するための手段】
【０００８】
上述した課題を解決し、目的を達成するため、請求項１の発明に係る遊技媒体貸出システムは、ロック機構により施錠された紙幣収納ユニットに紙幣を受け入れて遊技媒体の貸し出し処理をおこなう貸出処理機と、前記紙幣による入金情報を売上金額として取得する管理サーバとを備えた遊技媒体貸出システムであって、前記管理サーバは、前記ロック機構により施錠された紙幣収納ユニットの解錠を許可する旨を通知する第一の解錠許可通知手段と、前記貸出処理機は、前記第一の解錠許可通知手段によって解錠を許可する旨を通知された後に、遠隔操作装置により解錠を指示する旨を所定の時間内に通知されなければ、前記紙幣収納ユニットの解錠をおこなわないように制御する解錠制御手段とを備えたことを特徴とする。
【０００９】
また、請求項２の発明に係る遊技媒体貸出システムは、ロック機構により施錠された紙幣収納ユニットに紙幣を受け入れて遊技媒体の貸し出し処理をおこなう貸出処理機と、前記紙幣による入金情報を売上情報として取得する管理サーバと、前記貸出処理機に所定の指示を与える遠隔操作装置とを備えた遊技媒体貸出システムであって、前記遠隔操作装置は、前記ロック機構により施錠された紙幣収納ユニットの解錠を許可しようとする者が前記紙幣収納ユニットの解錠を許可する権限を持つ管理者であるか否かを認証する解錠許可権限認証手段と、前記解錠許可権限認証手段によって管理者であると認証された場合に、前記紙幣収納ユニットの解錠を許可する旨を通知する第二の解錠許可通知手段と、前記貸出処理機は、前記第二の解錠許可通知手段によって解錠を許可する旨を通知された後に、遠隔操作装置により解錠を指示する旨を所定の時間内に通知されなければ、前記紙幣収納ユニットの解錠をおこなわないように制御する解錠制御手段とを備えたことを特徴とする。
【００１０】
また、請求項３の発明に係る遊技媒体貸出システムは、請求項１または２の発明において、前記解錠制御手段は、前記紙幣収納ユニットの解錠がおこなわれ、該紙幣収納ユニットの再施錠がおこなわれた後に、前記遠隔操作装置により再解錠を指示する旨を他の所定の時間内に通知されたならば、前記紙幣収納ユニットの再解錠をおこなうように制御することを特徴とする。
【００１１】
また、請求項４の発明に係る遊技媒体貸出システムは、請求項１または２の発明において、前記解錠制御手段は、前記紙幣収納ユニットの解錠がおこなわれ、該紙幣収納ユニットの再施錠がおこなわれた場合でも、前記第一若しくは第二の解錠許可通知手段によって解錠を許可する旨を通知されてから前記所定の時間内に前記遠隔操作装置により再解錠を指示する旨を通知されたならば、前記紙幣収納ユニットの再解錠をおこなうように制御することを特徴とする。
【発明の効果】
【００１２】
本発明に係る遊技媒体貸出システムは、管理サーバは、ロック機構により施錠された紙幣収納ユニットの解錠を許可する旨を通知し、貸出処理機は、解錠を許可する旨を通知された後に、遠隔操作装置により解錠を指示する旨を所定の時間内に通知されなければ、紙幣収納ユニットの解錠をおこなわないように制御することとしたので、紙幣収納ユニットに収納された紙幣に対する不正を防止することが可能な遊技媒体貸出システムが得られるという効果を奏する。さらに、これに関連して、遠隔操作装置によって「解錠指示」の通知をおこなうため、紙幣の回収時に各貸出処理機の鍵をその都度、解錠する必要がなく、紙幣の回収作業を効率良くおこなうことが可能になる。
【００１３】
また、本発明によれば、遠隔操作装置は、ロック機構により施錠された紙幣収納ユニットの解錠を許可しようとする者が紙幣収納ユニットの解錠を許可する権限を持つ管理者であるか否かを認証し、管理者であると認証された場合に、紙幣収納ユニットの解錠を許可する旨を通知し、貸出処理機は、解錠を許可する旨を通知された後に、遠隔操作装置により解錠を指示する旨を所定の時間内に通知されなければ、紙幣収納ユニットの解錠をおこなわないように制御することしたので、通信経路の断線によるオフライン状態に陥った場合でも、紙幣収納ユニットに収納された紙幣を回収できる上、当該紙幣に対する不正を防止することが可能な遊技媒体貸出システムが得られるという効果を奏する。
【００１４】
また、本発明によれば、紙幣収納ユニットの解錠がおこなわれ、該紙幣収納ユニットの再施錠がおこなわれた後に、遠隔操作装置により再解錠を指示する旨を他の所定の時間内に通知されたならば、紙幣収納ユニットの再解錠をおこなうように制御することとしたので、紙幣収納ユニットに収納された紙幣のセキュリティを確保しつつ、紙幣の回収作業をより効率良くおこなうことが可能な遊技媒体貸出システムが得られるという効果を奏する。
【００１５】
また、本発明によれば、紙幣収納ユニットの解錠がおこなわれ、該紙幣収納ユニットの再施錠がおこなわれた場合でも、解錠を許可する旨を通知されてから所定の時間内に遠隔操作装置により再解錠を指示する旨を通知されたならば、紙幣収納ユニットの再解錠をおこなうように制御することとしたので、再解錠に起因する紙幣収納ユニットに対する不正を防止することが可能な遊技媒体貸出システムが得られるという効果を奏する。
【発明を実施するための最良の形態】
【００１６】
以下に添付図面を参照して、パチンコ遊技に対して本発明に係る遊技媒体貸出システムを適用する場合の好適な実施例を詳細に説明する。なお、以下では、本実施例で用いる主要な用語を最初に説明してから、本実施例１に係る遊技媒体貸出システムについて説明し（実施例１）、最後に、他の実施例として種々の変形例（実施例２）を説明することとする。
【００１７】
（用語の説明）
以下に、本実施例で用いる主要な用語を簡単に説明する。本実施例で用いる「許可時間」とは、管理サーバ２００による「解錠許可」の通知がなされた後に、「解錠指示」を受け付ける許容時間を指す。また、「施錠後許可時間」とは、紙幣の回収作業または紙幣収納ユニットのメンテナンスなどの業務をおこなうために紙幣収納ユニットの解錠がおこなわれ、該紙幣収納ユニットの再施錠がおこなわれた後に、「再解錠指示」を受け付ける許容時間である。なお、「許可時間」は、特許請求の範囲に記載の「所定の時間」に相当し、「施錠後許可時間」は、特許請求の範囲に記載の「他の所定の時間」に相当する。
【００１８】
また、本実施例で用いる「管理者」とは、「解錠許可」を通知する権限（管理サーバによって「解錠許可信号」を送信する権限）を持つ遊技店の管理責任者であり、また、「紙幣取扱者」とは、「解錠指示」を通知する権限（遠隔操作装置（リモコン）によって「解錠指示信号」を送信する権限）を持つ遊技店の幹部店員などのホールスタッフを指す。なお、本実施例では、上記の「管理者」は、「紙幣取扱者」の権限を兼務することができることとする。
【実施例１】
【００１９】
本実施例１では、本実施例に係る遊技媒体貸出システムの概要および特徴を説明し、これに続いて、この遊技媒体貸出システムの構成を説明した後に、各種処理の手順を説明する。
【００２０】
（概要および特徴）
次に、本実施例１に係る遊技媒体貸出システムの概要および特徴を説明する。図１は、本実施例１に係る遊技媒体貸出システムの概要を示す説明図である。図２は、本実施例１に係る遊技媒体貸出システムの概略構成を示す機能ブロック図である。図３は、管理サーバ２００の構成を示す機能ブロック図を、図４は、中央管理装置１００の構成を示す機能ブロック図をそれぞれ示している。
【００２１】
すなわち、図１、２に示すように、この遊技媒体貸出システムでは、それぞれ「島」と呼ばれるグループごとに複数の遊技機（以下、『パチンコ機』と称する）が併設されるとともに、これらパチンコ機１０にはそれぞれ１台ずつペアとなるように遊技媒体貸出処理機（以下、『玉貸処理機』と称する）がパチンコ機１０の相互間に挟まれるように据置されており、遊技客により各玉貸処理機２０に挿入された紙幣（現金）による入金情報は売上情報として、中継器３００を介して接続された管理サーバ２００に対して送信され、この管理サーバ２００により各玉貸処理機２０の売上情報（金額）が個別に管理されている。
【００２２】
さらに、この管理サーバ２００は、第三者機関に設置、管理される中央管理装置１００に接続され、管理サーバ２００により集計された各玉貸処理機２０の売上情報は、中央管理装置１００に対して送信される。以上のように、中央管理装置１００により複数の遊技店（遊技店Ａ、Ｂ、Ｃ・・・）の総売上金額を統括的に管理する遊技媒体貸出システムが構築されている。
【００２３】
ここで、かかる遊技媒体貸出システムにおいて、管理サーバ２００は、ロック機構により施錠された紙幣収納ユニットの解錠を許可する旨を通知し、玉貸処理機２０は、解錠を許可する旨を通知された後に、遠隔操作装置（リモコン９０）により解錠を指示する旨を所定の時間内に通知されなければ、紙幣収納ユニットの解錠をおこなわないように制御する解錠制御処理に主たる特徴があり、かかる解錠制御処理によって、紙幣収納ユニットに収納された紙幣に対する不正を防止することができるようにしている。
【００２４】
この主たる特徴を具体的に説明すると、管理サーバ２００による「解錠許可」の通知がなされた後に、「許可時間」（すなわち、「解錠指示」を受け付ける許容時間である。一例として、「個別解錠」では、「１０分」、「島解錠」では、「３０分」、「全台解錠」では、「６０分」とする。）内にリモコン９０による「解錠指示」がなければ、紙幣収納ユニットの解錠をおこなわないように制御することにより、紙幣収納ユニットの解錠を指示する権限を持つ紙幣取扱者（当然、「解錠許可」を通知する権限（管理サーバによって「解錠許可信号」を送信する権限）を持つ遊技店の管理責任者も含む）が紙幣の回収作業または紙幣収納ユニットのメンテナンスをおこなう場合を除いて、紙幣収納ユニットが解錠されないようにすることができる。
【００２５】
つまり、不正を目的とする人物に玉貸処理機２０のリモコン９０を入手されてしまった場合でも、紙幣収納ユニットの解錠が必要な時間を除き、紙幣収納ユニットの解錠をおこなわないため、紙幣収納ユニットに収納された紙幣に対して不正を働くことができない。
【００２６】
したがって、上記した主たる特徴のように、紙幣収納ユニットに収納された紙幣に対する不正を防止することが可能になる。さらに、これに関連して、リモコンによって「解錠指示」の通知をおこなうため、紙幣の回収時に各貸出処理機の鍵機構に鍵を差し込んで回動するといった操作をおこなう必要がなく、紙幣の回収作業を効率良くおこなうことが可能になる。
【００２７】
また、本実施例に係る遊技媒体貸出システムは、上記の主たる特徴に関連して以下のような特徴も付加的に有するものである。つまり、本実施例では、紙幣収納ユニットの解錠がおこなわれ、該紙幣収納ユニットの再施錠がおこなわれた後に、遠隔操作装置により再解錠を指示する旨を他の所定の時間内に通知されたならば、紙幣収納ユニットの再解錠をおこなうように制御する。
【００２８】
すなわち、これによって、紙幣の回収作業または紙幣収納ユニットのメンテナンスなどの業務に際して紙幣収納ユニットの再解錠が頻繁におこなわれる実状に基づいて施錠後許可時間（すなわち、施錠後に「再解錠指示」を受け付ける許容時間）内において再解錠指示を許容することにより、紙幣収納ユニットに収納された紙幣のセキュリティを確保しつつ、紙幣の回収作業をより効率良くおこなうことができるようにしている。
【００２９】
（遊技媒体貸出システムの構成）
次に、本実施例１に係る遊技媒体貸出システムの構成を説明する。この遊技媒体貸出システムにおける玉貸処理機２０は、概略的に、遊技客により投入された紙幣（例えば、１０００円札の現金）を受け入れて、遊技媒体である所定数の遊技玉（パチンコ玉）を投出するようにパチンコ機１０の玉投出機構部１３に指示する機能とともに、この紙幣投入時の入金情報をメモリ２７内（図８参照）に一時記憶し、この入金情報を売上情報としてリアルタイムで管理サーバ２００に通知する機能を備えている。このため、各玉貸処理機２０と管理サーバ２００とは中継器３００を介して通信自在に構成されている。
【００３０】
また、後述するように、玉貸処理機２０は、店内に取り付け固定された枠体３０（図６および７参照）に対して着脱自在に構成されており、この枠体３０にはジョイント基板３１が設けられている。そして、通常（オンライン時）では、玉貸処理機２０による売上情報は、一時的にメモリ２７内に格納され、同時に中継器３００を介して管理サーバ２００へ送信される。また、玉貸処理機２０の交換時或いは、玉貸処理機２０と管理サーバ２００間での通信断線時（オフライン時）には、玉貸処理機２０のメモリ２７内に記憶された売上情報は枠体３０側のメモリ３２内（ジョイント基板３１）に蓄積されることとなる。
【００３１】
中継器３００（ＨＵＢ）は、各「島」内に１基ずつ据置されており、各「島」内のネットワークケーブルを束ねる集線装置（コンセントレータ）としての機能を備えている。本実施例１では、それぞれの中継器３００は、シリアル接続（ディジーチェーン）により構成されている。
【００３２】
管理サーバ２００は、概略的に、遊技媒体貸出システムを構成する各機器の制御をおこなうものであり、各玉貸処理機２０に投入された紙幣による入金情報を個別の売上情報として取得する機能を備えている。具体的には、各玉貸処理機２０の識別ＩＤに基づいて、個々の玉貸処理機２０ごとに投入された紙幣による入金情報を売上情報として集計し、管理する機能を備えている。なお、この管理サーバ２００は、中央管理装置１００を管理する第三者機関により設置される。
【００３３】
この管理サーバ２００は、管理サーバデータベース２１０と、玉貸処理機２０および中央管理装置１００と通信をおこなうための通信Ｉ／Ｆ２２０と、メニュー画面や売上情報を表示する表示部２３０と、各種指示入力を受け付ける入力部２４０と、管理サーバ２００の全体制御用の制御部２５０とを備えている。
【００３４】
管理サーバデータベース２１０は、玉貸処理機２０の識別ＩＤおよび枠体３０の識別ＩＤに関連付けた入金情報を玉貸処理機の設置場所（号機）ごとに記憶する処理部である。具体的には、各遊技店を個別に識別する遊技店コード、取引時（紙幣投入時）の日付を示す取引日付、玉貸処理機２０を特定する本体識別ＩＤ、枠体を特定する枠体識別ＩＤ、遊技台の番号、売上金額、取引時に設定される取引識別ＩＤという７項目のフィールドが設けられている。
【００３５】
図１３−２は、図１３−１に示した玉貸処理機２０（本体識別ＩＤ：ＸＸＸＸ１、枠体識別ＩＤ：ＹＹＹＹ１）の売上情報が管理サーバデータベース２１０に格納された際の格納データを示している。
【００３６】
通信Ｉ／Ｆ２２０は、ＢＶロック機構部５３により施錠されたＢＶユニット部５０の解錠を許可する旨（解錠許可信号）を玉貸処理機２０の通信Ｉ／Ｆ２６を介して玉貸処理機２０に通知する機能を備える。具体的には、玉貸処理機２０に対して「解錠許可信号」を送信する。また、玉貸処理機２０の通信Ｉ／Ｆ２６（図８参照）を介して各玉貸処理機２０による売上情報を通信により受信する機能および中央管理装置１００の通信Ｉ／Ｆ１３０（図４参照）を介して管理サーバ２００により集計された各玉貸処理機２０の売上情報を送信する機能を備えている。
【００３７】
表示部２３０は、管理サーバ２００の操作をおこなう「管理者」に対して、管理サーバデータベース２１０の情報やメニュー画像（設定画面）を表示として出力する出力手段であり、モニタなどにより構成される。
【００３８】
入力部２４０は、各種の情報を入力するキーボード、マウスおよびトラックボールなどの指示入力手段であり、「管理者」から管理サーバデータベース２１０の閲覧の受け付けまたは玉貸処理機２０の設定の受け付けなどの遊技店の売上管理に係る指示の受け付けをおこなう。
【００３９】
制御部２５０は、ＯＳ（Operating System）などの制御プログラム、各種の処理手順などを規定したプログラムおよび所要データを格納するための内部メモリを有し、これらによって種々の処理を実行する処理部である。例えば、各玉貸処理機２０の識別ＩＤに基づいて、個々の玉貸処理機２０ごとに投入された紙幣による入金情報を売上情報として集計し、管理する機能を備えている。
【００４０】
中央管理装置１００は、各遊技店（遊技店Ａ、Ｂ、Ｃ・・・）に配置された管理サーバ２００との間で相互に通信をおこなうことにより、管理サーバ２００が取得した玉貸処理機２０の売上情報に基づいて、各遊技店ごとの総売上集計、各玉貸処理機２０の管理などをおこなう機能を有し、図４に示すように、遊技店管理データベース１１０と、管理サーバ２００の通信Ｉ／Ｆ２２０（図３参照）を介して通信をおこなう通信Ｉ／Ｆ１２０と、表示部１３０と、入力部１４０と、中央管理制御部１５０とを備える。
【００４１】
ここで、玉貸処理機２０およびパチンコ機１０における詳細な構成を説明する前に、かかる玉貸処理機２０およびパチンコ機１０に適用する本発明に係る遊技媒体貸出システムの特徴について説明する。この遊技媒体貸出システムは、プリペイドカードなどの媒体を使用することなく、玉貸処理機２０に投入される紙幣（現金）による入金情報を売上情報として、管理サーバ２００に通知をおこなうとともに、管理サーバ２００により各玉貸処理機２０の売上情報を集計管理し、これら各玉貸処理機２０の集計データを中央管理装置１００に通知する。
【００４２】
このため、玉貸処理機２０および枠体３０のそれぞれには、予め個別の識別ＩＤ（玉貸処理機２０の本体識別ＩＤ、枠体３０の枠体識別ＩＤ）が付与されており、これら２つの識別ＩＤは、玉貸出処理機の電源ＯＮ時（遊技店の開店時、玉貸出処理機本体の交換時など）、この玉貸処理機２０から管理サーバ２００に対して通信により通知され、管理サーバ２００内に設けられた管理サーバデータベース２１０内に自動的に登録され、以降、各玉貸処理機２０は、遊技客により投入された紙幣による入金ごとに管理サーバ２００に対して入金額（売上金額）をリアルタイムに通知するものとなる。
【００４３】
一方、管理サーバ２００では、玉貸処理機２０からの通信情報（売上金額）を受信し、玉貸処理機２０の識別ＩＤに関連付けて、更新および集計をおこなう。なお、遊技店内には遊技機１０および玉貸処理機２０に接続されたホールコンピュータ（図示せず）が備えられており、このホールコンピュータにより賞球、出球率などの遊技情報に基づいて遊技店内の総売上が管理されることとなっている。
【００４４】
以下、図５〜８を参照して玉貸処理機２０およびパチンコ機１０における構成の詳細について説明する。図５は、図２に示した遊技媒体貸出システムで適用する玉貸処理機２０およびパチンコ機１０の外観正面図であり、図６は、玉貸処理機２０を示す側面図（枠体３０との連結状態）であり、図７は、枠体３０と玉貸処理機２０との分離状態を示す図をそれぞれ示している。図８は、玉貸処理機２０の機能ブロック図を示している。
【００４５】
図５に示すように、玉貸処理機２０は、外見上縦長に構成したもので、貸出処理機本体部２１と、この本体部２１よりも前方（図６の右側）に向けて僅かに突出するように形成されたＢＶユニット部５０とを備えている。また、後述するように、このＢＶユニット部５０は、リモコン９０による「解錠指示」により本体部２１から自動的に取り出し可能に構成されている。
【００４６】
ここで、図６、７に示すように、この玉貸処理機２０は、遊技店内に取り付け固定された枠体３０に対して着脱自在となっており、具体的には、玉貸処理機２０を枠体３０に対して連結させ、玉貸処理機２０および枠体３０の上下に位置するコネクタを相互に嵌め込むことにより、この玉貸処理機２０をパチンコ機１０に隣接した位置に据置することができる。
【００４７】
ＢＶユニット部５０は、紙幣挿入口１５と、紙幣収納部５１と、紙幣識別部５２とを具備する。紙幣挿入口１５は、紙幣（例えば、１０００円札）を受け入れて、該紙幣を紙幣収納部５１に取り込むための開口である。紙幣収納部５１は、遊技客により紙幣挿入口１５から挿入された紙幣を収納する機能を備えている。本実施例１では、「紙幣取扱者」により紙幣収納部５１内に収納された紙幣を回収するようにしているため、紙幣を島端へ搬送する紙幣搬送路および島端において紙幣を回収する紙幣回収ボックスが不要となる。
【００４８】
紙幣識別部５２は、遊技客により紙幣挿入口１５から挿入された紙幣に対する金額情報の判定（識別）および金額情報を記憶する紙幣処理機能を備えており、遊技客により挿入された紙幣を受け入れて識別し、正常と判定される紙幣については、その識別結果および金額情報は制御部８０に通知される。そして、この制御部８０では、玉貸処理機２０の識別ＩＤに関連付けて売上情報をメモリ２７内に格納する。一方、挿入された紙幣が識別不能な紙幣については、紙幣挿入口１５を通じて返却する。
【００４９】
ＢＶロック機構部５３は、ＢＶユニット部５０の施錠をおこなう機構を備えており、このＢＶロック機構部５３によるロック（施錠）の解錠は、「紙幣取扱者」や管理者が所持するリモコン９０による解錠操作によりおこなわれる。
【００５０】
ここで、図９を参照して、本実施例１におけるＢＶユニット部５０に対する解錠機構について説明する。図９は、紙幣の回収時におこなわれるロック（施錠）の解錠動作を説明する玉貸処理機２０の斜視図を示している。
【００５１】
すなわち、図９に示すように、ＢＶロック機構部５３は、「管理者」から解錠を許可する旨（解錠許可信号）を管理サーバ２００より通知され、「ロック機構制御状況」を「通常状態」から「解錠許可状態」に移行した後に、「紙幣取扱者」が所持するリモコン９０による操作により解錠を指示する旨（解錠指示信号の送信）を「許可時間」内に通知された場合に、ロック機構部５３によるロックが解錠する機構となっている。具体的には、「紙幣取扱者」が玉貸処理機２０のリモコン用受信部２４に向けて、リモコン９０の個別解錠キー（図１１参照）をＯＮ操作するとＢＶユニット部５０が玉貸処理機２０の前方（図９の矢印Ａ方向）に離脱するとともに、紙幣収納部５１（図９）が開口する機構となっている。これにより、紙幣収納部５１に収納された紙幣を回収するものとなる。
【００５２】
一方、ＢＶユニット部５０の装着（施錠）は、前方に突出した状態のＢＶユニット部５０を手で本体２１側（図９の矢印Ｂ方向）に向けて、押し込むことにより、ＢＶロック機構部５３を作動させることができる。後述するように、ロック機構部５３の作動は、ソレノイド６０に対する通電のＯＮ／ＯＦＦによりおこなう。以下、図１０−１、図１０−２を参照して、ＢＶロック機構部５３の詳細を説明する。
【００５３】
すなわち、図１０−１に示すように、ＢＶロック機構部５３は、ソレノイド６０、ロックレバー６１、アンカー板７５、押圧板ばね７１とから構成されている。また、ＢＶユニット部５０の上下位置には、スライドレール７４が設けられているため、このＢＶユニット部５０はスライドレール７４に沿って、装着方向および取り出し方向に平行移動することができる。
【００５４】
アンカー板７５の上端部には押圧板ばね７１の基端部が取り付けられ、この押圧板ばね７１の先端部は、紙幣収納部５１を構成する筐体（ケース）の後端部に当接されている。
【００５５】
このため、常時、ＢＶユニット部５０は、押圧板ばね７１の弾力により、ＢＶユニット部５０が離脱する方向（図１０−１のＡ方向）に向けて押圧されている。ロックレバー６１の先端部には、鉤部６２が形成されており、この鉤部６２は、アンカー板７１に形成された係合ピン７２と係合可能となっている。
【００５６】
また、引っ張りばね７３の一端（図１０−１の上側）は、アンカー板７１の上部に延出された取り付け部７１ａに、他端（図１０−１の下側）は、ロックレバー６１の基端部に取り付けられている。このため、ソレノイド６０のＯＦＦ時（非通電時）、ロックレバー６１は、引っ張りばね７３の弾力により支軸７８を支点として、時計方向に偏奇するため、この弾力によりロックレバー６１の鉤部６２とアンカー板７１の係合ピン６２とが係合し、これにより、ＢＶユニット部５０に対するロック（施錠）をおこなわれるものとなる。なお、ソレノイド６０に対する通電のＯＮ／ＯＦＦは、ＢＶユニット制御部５６による通電制御によりおこなわれる。
【００５７】
一方、図１０−２に示すように、ソレノイド６０のＯＮ時（通電時）には、このソレノイド６０の作動（ＯＮ）にともなって、引っ張りばね７３の弾力に抗して、ロックレバー６１の鉤部６２とアンカー板７１の係合ピン７２との係合が外れる。これにより、ＢＶユニット部５０は、押圧板ばね７１の押圧力により、スライドレール７４に沿って、図１０−２の矢印Ａ方向に向けて離脱する。これにより、ＢＶユニット部５０に対する解錠をおこなうことができる。また、前述したように、ＢＶユニット部５０に対する施錠は、このＢＶユニット部５０を手により、図１０−２の矢印Ｂ方向に向けて、押し込むことにより容易におこなうことができる。
【００５８】
以上のように、本実施例１におけるロック機構部５３の場合には、リモコンによる操作で簡単に解錠をおこなうことができ、ロック（施錠）は手動により容易におこなうことができるため、従来のように店員が解錠用の鍵などを持ち歩く必要がなくなるうえ、紙幣収納部５１内の紙幣を搬送する紙幣搬送機構や紙幣収納金庫などが不要となり、コスト削減およびセキュリティの面で有効である。
【００５９】
また、玉貸処理機２０の本体部２１の前面パネルには、表示ランプ部２２と、表示部２３と、リモコン用受光部２４とを具備する。
【００６０】
表示ランプ部２２は、玉貸処理機２０の稼動状況を報知する機能を備えており、状態に応じて３色（緑色、赤色、黄色）の表示ランプを選択して点灯させることができる。具体的には、緑色ランプの点灯は、正常動作を、赤色ランプの点灯は、何らかの異常が発生して使用が不可能な状態を、黄色ランプの点灯は、通信経路の断線などのオフライン発生時の状態をそれぞれ示している。
【００６１】
リモコン用受光部２４は、リモコン９０により送信された送信信号に基づいて、玉貸処理機２０のエラー状態をリセットするエラーリセット信号、解錠信号（解錠指示信号）を受信する機能を具備している。また、後述するように、管理サーバ２００より「解錠許可信号」を受信し、「ロック機構制御状況」が「通常状態」から「解錠許可状態」に移行された後に、リモコン９０による「解錠指示信号」を「許可時間」内に受信した場合には、ＢＶユニット部５０のロック（施錠）が解錠されるものとなる。
【００６２】
表示部２３は、玉貸処理機２０のエラー状態をエラーコードなどで表示する機能を備えている。また、電源部２５は、玉貸処理機２０に対して、ＡＣ電源（１００Ｖ）による電圧を供給するための電源部である。
【００６３】
通信Ｉ／Ｆ２６（インターフェース）は、管理サーバ２００の通信Ｉ／Ｆ２２０を解して解錠を許可する旨（解錠許可信号）を受信する機能を備える。また、管理サーバ２００に対して各玉貸処理機２０による売上情報をリアルタイム通信により送信する機能を備えている。
【００６４】
売上情報記憶テーブル２８は、紙幣による入金情報を売上情報として玉貸処理機２０の識別ＩＤおよび枠体３０の識別ＩＤの組み合わせごとに記憶するテーブルである。具体的には、図１３−１に示すように、玉貸処理機２０の識別ＩＤおよび枠体３０の識別ＩＤの組み合わせ（取引ＩＤ）ごとの複数の領域に、各遊技店を個別に識別する遊技店コード、玉貸処理機２０を特定する本体識別ＩＤ、枠体を特定する枠体識別ＩＤ、遊技台の番号および売上金額を記憶する機能を備えている。
【００６５】
制御部８０は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、機能概念的に、ＢＶユニット制御部８１と、パチンコ機１０に対する玉投出機能を具備する玉貸制御部８２とを備える。
【００６６】
ＢＶユニット制御部８１は、管理サーバ２００により解錠を許可する旨を通知された後に、リモコン９０により解錠を指示する旨を所定の時間内に通知されなければ、ＢＶユニット部５０の解錠をおこなわないように制御する処理部である。具体的には、「管理者」から解錠を許可する旨（解錠許可信号）を管理サーバ２００より通知され、ＢＶロック機構部５３における「ロック機構制御状況」を「通常状態」から「解錠許可状態」に移行させた後に、リモコン９０による「解錠指示」が「許可時間」（すなわち、「解錠指示」を受け付ける許容時間であり、「個別解錠」では、「１０分」、「島解錠」では、「３０分」、「全台解錠」では、「６０分」とする。）内になければ、ＢＶロック機構部５３における「解錠許可状態」を無効とし、「通常状態」に移行させることによってＢＶユニット部５０の解錠をおこなわないように制御する。このため、ＢＶユニット部５０（紙幣収納ユニット）の解錠を指示する権限を持つ紙幣取扱者が紙幣の回収作業またはＢＶユニット部５０のメンテナンスをおこなう場合を除いて、ＢＶユニット部５０が解錠されないようにすることが可能になる。
【００６７】
一方、「管理者」から解錠を許可する旨（解錠許可信号）を管理サーバ２００により通知され、「ロック機構制御状況」を「通常状態」から「解錠許可状態」に移行させた後に、「紙幣取扱者」が所持するリモコン９０による操作により解錠を指示する旨（解錠指示信号の送信）を「許可時間」内に通知された場合に、ＢＶロック機構部５３によるロック（施錠）を制御し、ＢＶユニット部５０を解錠する。
【００６８】
また、ＢＶユニット制御部８１は、ＢＶユニット部５０の解錠がおこなわれ、該ＢＶユニット部５０の再施錠がおこなわれた後に、リモコン９０により再解錠を指示する旨を他の所定の時間内に通知されたならば、ＢＶユニット部５０の再解錠をおこなうように制御する。具体的には、「紙幣取扱者」によりＢＶユニット部５０が再施錠されるとともに、「施錠後許可時間」（すなわち、「再解錠指示」を受け付ける許容時間であり、「６０秒」とする。）を設定し、ＢＶロック機構部５３における「ロック機構制御状況」を「施錠後許可状態」に移行させる。そして、「紙幣取扱者」が所持するリモコン９０による操作により再解錠を指示する旨（再解錠指示信号の送信）を「施錠後許可時間」内に通知された場合に、ＢＶロック機構部５３によるロック（施錠）を制御し、ＢＶユニット部５０を解錠する。
【００６９】
一方、枠体３０の上部位置（図７参照）には、ジョイント制御基板３１が設けられており、このジョイント基板３１は、玉貸処理機２０を入れ替えた際および通信状態の断線時（オフライン時）の売上情報（データ）の保存用として機能するメモリ３３を備えている。このメモリ３３の内部には、パチンコ機１０の遊技台番号に対応するとともに、玉貸処理機２０の識別ＩＤおよび枠体３０の識別ＩＤに関連付けた入金情報を格納する売上情報記憶テーブル３３が設けられている。
【００７０】
また、遊技機であるパチンコ機１０は遊技領域１１および下方に設けた上皿１２とにより構成され、その内部には玉投出機構部１３が設けてある。この玉投出機構部１３は、制御部８０から打球投出要求が与えられた場合、並びにパチンコ機１０による賞玉投出要求が与えられた場合に、それぞれパチンコ機１０の上皿１２に所定数のパチンコ玉を投出する部分である。
【００７１】
次に、本発明の遊技媒体貸出システムにおいて適用されるリモコンの概要について説明する。図１１は、「紙幣取扱者」が所持するリモコンを示す外観図である。また、図１２は、リモコンの概略を示す機能ブロック図を示している。
【００７２】
リモコン９０は、赤外線を送出する発光ダイオード（ＬＥＤ）などを備えた無線式の遠隔操作装置である。すなわち、図１１に示すように、リモコン９０構成する前面パネル部には、エラーの発生時に、リセット処理をおこなう「リセットキー」、操作の設定をおこなう「設定キー」、操作の取り消しをおこなう「取消キー」、「解錠指示通知」を設定する「個別解錠キー」または「島解錠キー」、「送りキー」、「戻しキー」などの設定入力部９１（図１２）および玉貸処理機２０の機体番号を入力するため「テンキー（０〜９）」などのテンキー入力部９２が設けられている。
【００７３】
図１２は、リモコン９０の概要を示す機能ブロック図である。すなわち、リモコン９０は、設定入力部９１と、テンキー入力部９２と、ＬＥＤ送信部９３と、制御部９４と、メモリ９５とから構成されている。このうち、ＬＥＤ送信部９３は、玉貸処理機２０のリモコン用受光部２４（図８）に赤外線信号を送信し、ＢＶロック機構部５３の作動を指示するＬＥＤなどからなる赤外線送信部である。
【００７４】
（各種処理の手順）
次に、本実施例１に係る遊技媒体貸出システムによる各種処理の手順を説明する。なお、ここでは、本発明に係る遊技媒体貸出システムの「基本制御手順」を説明した後に、管理サーバによる「解錠許可通知」およびリモコンによる「解錠指示通知」に基づく、玉貸処理機における「解錠制御処理」について説明する。
【００７５】
＜基本制御手順＞
図１４は、本実施例１に係る遊技媒体貸出システムの基本制御手順を示すフローチャートである。すなわち、本発明の遊技媒体貸出システムは、大別して（１）開店時設定工程（ステップＳＡ１００）、（２）オンライン制御工程（ステップＳＡ２００）、（３）紙幣回収工程（ステップＳＡ３００）、（４）定期通信工程（ステップＳＡ４００）、（５）閉店時設定工程（ステップＳＡ５００）の５つの処理工程により構成されている。まず、これら（１）〜（５）の各制御工程について簡単に説明する。
【００７６】
（１）開店時設定工程
開店時設定工程は、管理サーバ２００により実行される開店通知による開店処理であり、この開店処理は、開店通知として、第三者機関に設置される中央管理装置１００および遊技店内の各玉貸処理機２０に対してその旨が通知されるものとなる。
【００７７】
すなわち、玉貸処理機２０および枠体３０のそれぞれには、予め個別の識別ＩＤ（玉貸処理機本体の本体識別ＩＤ、枠体の枠体識別ＩＤ）が付与されており、これら２つの識別ＩＤは、玉貸処理機２０の電源ＯＮ時、この玉貸処理機２０から管理サーバ２００に対して通信により通知されるとともに、これら玉貸処理機２０の本体識別ＩＤ、枠体の枠体識別ＩＤは、管理サーバ２００内に設けられた管理サーバデータベース２１０内に自動的に登録される。以降、管理サーバ２００は、各玉貸処理機２０からリアルタイムで通知される売上情報を管理サーバデータベース２１０内に格納するとともに、紙幣の投入に伴って売上情報の更新をおこなうこととなる。
【００７８】
（２）オンライン制御工程（通常時）
オンライン制御工程は、遊技客によって玉貸処理機２０に対して現金（紙幣）が投入された際、この玉貸処理機２０からパチンコ機１０に対して、玉を貸し出す玉貸し出し命令を通知するとともに、投入された紙幣による売上情報を玉貸処理機２０の識別ＩＤおよび枠体３０の識別ＩＤに関連付けて管理サーバ２００に対して通知する処理工程である。ここで、管理サーバ２００から中央管理装置１００に対して送信される売上情報の通知は、通常はリアルタイム通信により、逐次おこなわれるが、一定時間ごとにおこなうようにしてもよい。
【００７９】
（３）紙幣回収工程
紙幣回収工程は、「紙幣取扱者」が所持するリモコン９０の操作により玉貸処理機２０に備えたＢＶユニット部５０の解錠をおこない、このＢＶユニット部５０の内部に収納されている紙幣を回収する処理工程であり、遊技店の営業時間内および閉店時に適宜おこなわれる。なお、詳細は後述する。
【００８０】
（４）定期通信工程
定期通信工程は、遊技店の営業時間内において、管理サーバ２００と中央管理装置１００との間で実施される相互間の接続状態やエラーログなどを定期的に確認する処理工程である。
【００８１】
（５）閉店時設定工程
閉店時通知工程は、各玉貸処理機２０から１日の売上情報を管理サーバ２００により全て取得するとともに、中央管理装置１００に対して集計売上情報を送信する処理工程である。この際、管理サーバ２００から閉店通知信号が中央管理装置１００および玉貸処理機２０に対して送信される。
【００８２】
＜解錠制御処理＞
図１５は、本実施例１に係る遊技媒体貸出システムの解錠制御処理の手順を示すフローチャートである。同図に示すように、管理サーバ２００において、玉貸処理機２０に対して「解錠許可」を通知する対象（「個別」、「島」または「全台」）の選択を受け付け、「解錠許可」を通知する対象が「個別」であるならば（ステップＳ５０１肯定）、「個別解錠許可」を通知し（ステップＳ５０２）、「解錠許可」を通知する対象が「島」であるならば（ステップＳ５０３肯定）、「島解錠許可」を通知し（ステップＳ５０４）、また、「解錠許可」を通知する対象が「全台」であるならば（ステップＳ５０５肯定）、「全台解錠許可」を通知する（ステップＳ５０６）。
【００８３】
そして、玉貸処理機２０は、管理サーバ２００から「解錠許可」の通知（解錠許可信号）を受信し、ＢＶロック機構部５３における「ロック機構制御状況」を「通常状態」から「解錠許可状態」に移行させる（ステップＳ５０７）。なお、「解錠許可状態」とは、ＢＶロック機構部５３における「ロック機構制御状況」を示すものであり、この「解錠許可状態」の「許可時間」は、「個別解錠」で、「１０分」、「島解錠」で、「３０分」、「全台解錠」では、「６０分」とする。
【００８４】
一方、リモコン９０では、「紙幣取扱者」から「解錠指示」の通知（解錠指示信号の送信）を受け付けたならば（ステップＳ５０８「解錠指示」）、「解錠指示」を通知する（ステップＳ５０９）。
【００８５】
ここで、リモコン９０から「解錠指示」の通知（解錠指示信号）を「許可時間」内に通知されなかった場合には（ステップＳ５１０否定）、ＢＶロック機構部５３における「解錠許可状態」を無効とし、「通常状態」に移行させ（ステップＳ５１７）、ＢＶユニット部５０の解錠をおこなわないように制御する。
【００８６】
また、リモコン９０から「解錠指示」の通知（解錠指示信号）を「許可時間」内に通知された場合には（ステップＳ５１０肯定）、ＢＶロック機構部５３によるロック（施錠）を制御してＢＶユニット部５０を解錠し（ステップＳ５１１）、「許可時間」をクリアする（ステップＳ５１２）。
【００８７】
そして、「施錠後許可時間」（すなわち、「再解錠指示」を受け付ける許容時間であり、「６０秒」とする。）を設定し（ステップＳ５１３）、ＢＶロック機構部５３における「ロック機構制御状況」を「施錠後許可状態」に移行させる（ステップＳ５１４）。
【００８８】
一方、リモコン９０では、「紙幣取扱者」から「再解錠指示」の通知（再解錠指示信号の送信）を受け付けたならば（ステップＳ５０８「再解錠指示」）、「再解錠指示」を通知する（ステップＳ５１５）。なお、「解錠指示」と「再解錠指示」は、指示を受ける貸出処理機側の状態が異なるものの、リモコン９０の操作としては同じである。
【００８９】
ここで、玉貸処理機２０は、リモコン９０から「再解錠指示」の通知（再解錠指示信号）を「施錠後許可時間」内に通知された場合（ステップＳ５１６否定）、ＢＶロック機構部５３によるロック（施錠）を制御し、ＢＶユニット部５０を解錠する（ステップＳ５１１）。その後、上記のステップＳ５１２〜Ｓ５１５の処理を実行する。
【００９０】
また、リモコン９０から「再解錠指示」の通知（再解錠指示信号）を「施錠後許可時間」内に通知されなかった場合には（ステップＳ５１６肯定）、ＢＶロック機構部５３における「施錠後許可状態」を無効とし、「通常状態」に移行させる（ステップＳ５１７）。
【００９１】
最後に、解錠対象である全ての玉貸処理機２０について「解錠指示」の通知を終了した場合（ステップＳ５１８）には、処理を終了する。
【００９２】
上述してきたように、本実施例１に係る遊技媒体貸出システムによれば、紙幣収納ユニットに収納された紙幣に対する不正を防止することが可能になる。さらに、これに関連して、リモコンによって「解錠指示」の通知をおこなうため、紙幣の回収時に各貸出処理機の鍵機構に鍵を差し込んで回動するといった操作をおこなう必要がなく、紙幣の回収作業を効率良くおこなうことが可能になる。
【実施例２】
【００９３】
さて、これまで本発明の実施例について説明したが、本発明は上述した実施例以外にも、上記特許請求の範囲に記載した技術的思想の範囲内において種々の異なる実施例にて実施されてもよいものである。
【００９４】
例えば、本実施例１では、管理サーバにおいて紙幣収納ユニットの解錠を許可することとしたが、本発明はこれに限定されるものではなく、遠隔操作装置（リモコン）により「解錠許可」の通知をおこなう場合についても同様に適用することができる（図１６参照）。なお、この場合は、遠隔操作装置が第三者によって操作されることを防ぐため、「管理者」のみが知り得る暗証番号によるチェック機能を設定することが望ましい。また、「島ごと解錠」を通知した場合であっても、島内の通信が確保されていなければ実行することはできない。すなわち、これによって、管理サーバとの通信が途絶えたオフライン状態において、上記の形態で実施することにより、通信経路の断線によるオフライン状態に陥った場合でも、紙幣収納ユニットに収納された紙幣を回収できる上、当該紙幣に対する不正を防止することが可能になる。
【００９５】
また、本実施例１では、「施錠後許可時間」内において「再解錠指示」を許容する場合について説明したが、本発明はこれに限定されるものではない。すなわち、紙幣収納ユニットの解錠がおこなわれ、該紙幣収納ユニットの再施錠がおこなわれた場合でも、解錠を許可する旨を通知されてから所定の時間内に遠隔操作装置により再解錠を指示する旨を通知されたならば、紙幣収納ユニットの再解錠をおこなうように制御してもよい。つまり、「許可時間」内において「再解錠指示」を許容することにより、再解錠に起因する紙幣収納ユニットに対する不正を防止することが可能になる。
【００９６】
また、本実施例１では、本発明に係る遊技媒体貸出システムをパチンコ遊技に適用した場合を示しているが、本発明は、パチンコ遊技に限定することなくパチスロ機による遊技システムにも好適に適用することができる。具体的には、パチスロ機によるメダル貸出処理機に備えたメダル補給用の補給用扉に対する解錠制御システムとして、本発明を適用することができる。
【００９７】
また、本実施例１では、パチンコ機の内部から玉が投出される（所謂、ＣＲ機方式）について説明したが、本発明はこれに限定されるものではなく、玉貸処理機からノズルを介して玉が投出される方式にも本発明は好適に適用することができる。
【００９８】
また、本実施例１においては、カード媒体が全く介在しないタイプの玉貸出システムに適用したが、カード媒体が介在するタイプであっても、貸出処理機が現金（紙幣）を受け入れて遊技媒体の貸出処理をおこなうタイプのシステムであれば、同様に本発明を適用することができる。
【００９９】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１００】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１０１】
以上のように、本発明に係る遊技媒体貸出システムは、ロック機構により施錠された紙幣収納ユニットに紙幣を受け入れて遊技媒体の貸し出し処理をおこなう貸出処理機と、紙幣による入金情報を売上金額として取得する管理サーバとを備えた遊技媒体貸出システムに有用であり、特に、紙幣収納ユニットに収納された紙幣に対する不正を防止することができる遊技媒体貸出システムに適している。
【図面の簡単な説明】
【０１０２】
【図１】本実施例１に係る遊技媒体貸出システムの概要を示す説明図である。
【図２】本実施例１に係る遊技媒体貸出システムの概略構成を示す機能ブロック図である。
【図３】図２に示した管理サーバの構成を示す機能ブロック図である。
【図４】図２に示した中央管理装置の構成を示す機能ブロック図である。
【図５】図２に示した遊技媒体貸出システムで適用する玉貸処理機およびパチンコ機の外観正面図である。
【図６】図５に示した玉貸処理機を示す側面図である。
【図７】図５に示した玉貸処理機と枠体との分離状態を示す図である。
【図８】本実施例１に係る玉貸処理機の概略構成を示す機能ブロック図である。
【図９】玉貸処理機のＢＶユニット部に対する着脱状態を示す斜視図である。
【図１０−１】ＢＶロック機構部のロック状態を示す概略説明図である。
【図１０−２】ＢＶロック機構部のロック解錠状態を示す概略説明図である。
【図１１】リモコンの外観正面図である。
【図１２】本実施例１に係るリモコンの概略を示す機能ブロック図である。
【図１３−１】売上情報記憶テーブルの構成例を示す図である。
【図１３−２】管理サーバデータベースの構成例を示す図である。
【図１４】本実施例１に係る遊技媒体貸出システムの基本制御手順を示すフローチャートである。
【図１５】本実施例１に係る遊技媒体貸出システムの解錠制御処理の手順を示すフローチャートである。
【図１６】本実施例２に係る遊技媒体貸出システムの解錠制御処理の手順を示すフローチャートである。
【符号の説明】
【０１０３】
１０  パチンコ機
１５  紙幣挿入口
２０  玉貸処理機
２２  表示ランプ
２３  表示部
２４  リモコン用受光部
２５  電源部
２６、１２０、２２０  通信Ｉ／Ｆ
２７、３２  メモリ
２８、３３  売上情報記憶テーブル
３０  枠体
３１  ジョイント基板
５０  ＢＶユニット部
５１  紙幣収納部
５２  紙幣識別部
５３  ＢＶロック機構部
８０  制御部
８１  ＢＶユニット制御部
８２  玉貸制御部
９０  リモコン
９１  設定入力部
９２  テンキー入力部
９３  ＬＥＤ送信部
９４  制御部
９５  メモリ
１００  中央管理装置
１１０  遊技店管理データベース
１３０  表示部
１４０  入力部
１５０  中央管理制御部
２００  管理サーバ
２１０  管理サーバデータベース
２３０  表示部
２４０  入力部
２５０  制御部
３００  中継器
【図１】
2005087396.tif 000003
【図２】
2005087396.tif 000004
【図３】
2005087396.tif 000005
【図４】
2005087396.tif 000006
【図５】
2005087396.tif 000007
【図６】
2005087396.tif 000008
【図７】
2005087396.tif 000009
【図８】
2005087396.tif 000010
【図９】
2005087396.tif 000011
【図１０−１】
2005087396.tif 000012
【図１０−２】
2005087396.tif 000013
【図１１】
2005087396.tif 000014
【図１２】
2005087396.tif 000015
【図１３−１】
2005087396.tif 000016
【図１３−２】
2005087396.tif 000017
【図１４】
2005087396.tif 000018
【図１５】
2005087396.tif 000019
【図１６】
2005087396.tif 000020